(57)【要約】【課題】外観のデザイン性を保ちつつ、リモコンからの光信号の受光感度が向上した電子装置を提供する。【解決手段】受信した光信号に基づいて操作される電子装置であって、電子装置本体の外装部材の一部を構成し、透光性を有する透光性部材としての透明パネル５と、外装部材によって覆われ、光信号を受光して電気信号に変換する受光部１０と、透明パネル５に入射する光信号を受光部１０へ導く反射面５ｆとを有する。【選択図】図３
2005073132.tif 000002
【特許請求の範囲】
【請求項１】
受信した光信号に基づいて操作される電子装置であって、
電子装置本体の外装部材の一部を構成し、透光性を有する透光性部材と、
前記外装部材によって覆われ、前記光信号を受光して電気信号に変換する受光部と、
前記透光性部材に入射する光信号を前記受光部へ導く導光手段と
を有する電子装置。
【請求項２】
前記導光手段は、前記透光性部材に設けられている
請求項１に記載の電子装置。
【請求項３】
前記導光手段は、前記透光性部材に形成された反射面を有する
請求項１に記載の電子装置
【請求項４】
前記反射面は、前記透光性部材の表面に部分的に形成された金属膜で構成される
請求項３に記載の電子装置
【請求項５】
前記導光手段は、前記透光性部材の光信号の入射側および出射側の少なくとも一方に一体に形成された集光レンズ部を有する
請求項３に記載の電子装置。
【請求項６】
表示部の周囲に設けられた外装部材が透光性部材と非透光性部材とによって構成され、かつ、受信した光信号に基づいて操作される表示装置であって、
前記非透光性部材によって覆われ、前記光信号を受光して電気信号に変換する受光部と、
前記透光性部材に入射する光信号を前記受光部へ導く導光手段と
を有する表示装置。
【発明の詳細な説明】
【技術分野】
【０００１】
本発明は、光信号に基づいて操作される、たとえば、テレビジョン受像機等の電子装置に関する。
【背景技術】
【０００２】
たとえば、テレビジョン受像機、カメラ一体型ビデオテープレコーダ等の電子機器には、これらの電子機器に対して離れた場所から操作を可能にするための、いわゆるワイヤレスリモートコントロール機能（以下、リモコンという。）を備えたものが知られている。  リモコンを使用した電子機器では、赤外線光等の光信号を受光する受光窓を設ける必要がある。受光窓は、ユーザから見える場所に配置されるため、電子機器の外観のデザイン性を左右する。このため、電子機器の外観のデザイン性を損なわない観点から、受光窓を小さくしたり、受光窓を他の部分と同じ色に着色する等して、受光窓を目立たなくすることが行われている。
一方、受光窓から入射した光信号を受光する受光素子の配置は、受光窓の位置や大きさ等によって制限を受ける。受光素子の配置の自由度を拡げる技術が、たとえば、特許文献１，特許文献２等に開示されている。
【０００３】
【特許文献１】特開平５−１９９１７９号公報
【特許文献２】特開平８−１９１４９３号公報
【発明の開示】
【発明が解決しようとする課題】
【０００４】
ところで、上記した受光窓を他の部分と同じ色に着色する等すると、受光素子が光信号を受光しにくくなり、光信号の受光感度が低下する可能性がある。受光感度を向上させるために受光窓を拡大すると、デザイン性が損なわれる可能性がある。
【０００５】
本発明は、上記した問題に鑑みてなされたものであって、その目的は、外観のデザイン性を保ちつつ、リモコンからの光信号の受光感度が向上した電子装置を提供することにある。
【課題を解決するための手段】
【０００６】
本発明の電子装置は、受信した光信号に基づいて操作される電子装置であって、電子装置本体の外装部材の一部を構成し、透光性を有する透光性部材と、前記光信号を受光して電気信号に変換する受光部と、前記透光性部材に入射する光信号を前記受光部へ導く導光手段とを有する。
【０００７】
本発明の表示装置は、表示部の周囲に設けられた外装部材が透光性部材と非透光性部材とによって構成され、かつ、受信した光信号に基づいて操作される表示装置であって、前記非透光性部材によって覆われ、前記光信号を受光して電気信号に変換する受光部と、前記透光性部材に入射する光信号を前記受光部へ導く導光手段とを有する。
【０００８】
本発明では、外装部材を構成する透光性部材が光信号を取り込む取り込み口として使用される。外装部材は、たとえば、表示装置の表示部の周囲に設けられ部材等のユーザによって外部から視認される部材であり、デザインが施される部分である。この外装部材に用いられる透光性部材に設けた導光手段によって透光性部材に入射した光信号は、外装部材によって覆われた受光部へ導かれる。
【発明の効果】
【０００９】
本発明によれば、外観のデザイン性を保つことができ、かつ、リモコンからの光信号の受光感度が向上した電子装置および表示装置が得られる。
【発明を実施するための最良の形態】
【００１０】
以下、本発明の実施の形態について図面を参照して説明する。
図１は、本発明の電子装置および表示装置の一実施形態としての液晶表示装置の正面図である。
図１に示すように、液晶表示装置１は、液晶パネル２と、枠体３と、透明パネル５と、受光部１０とを有する。
なお、液晶パネル２は本発明の表示部、枠体３は本発明の非透光性部材、透明パネル５は本発明の透光性部材、受光部１０は本発明の受光部のそれぞれ一実施態様である。また、枠体３と透明パネル５とは本発明の外装部材を構成している。
【００１１】
枠体３は、矩形状の液晶パネル２の外周を囲み、液晶パネル２を保持している。この枠体３は、たとえば、着色されたプラスチック等の光を透過しない部材で形成されている。枠体３は、液晶パネル２の下側に開口３ｈを備える。この開口３ｈは、液晶表示装置１の外観のデザインのために設けられている。
【００１２】
透明パネル５は、液晶表示装置１の正面から見て開口３ｈを覆うように配置されている。透明パネル５は、枠体３に対して固定されている。
透明パネル５は、図２に示すように、平板状の部材で構成されている。透明パネル５は、プラスチック等の光を透過する透光性の材料で形成されている。透明パネル５は透光性を有しているので、透明パネル５を通じて液晶表示装置１の後方まで透けて見えるようになっている。
透明パネル５の前面５ａは平坦面となっている。この前面５ａから、後述するワイヤレスリモートコントローラの光信号が入射する。透明パネル５の裏面５ｂには、長手方向に沿って傾斜面からなる反射面５ｆが形成されている。この反射面５ｆは、光信号を反射して受光部１０へ導くために設けられている。反射面５ｆには、たとえば、アルミニウム等の金属膜が蒸着されている。
反射面５ｆで反射された光信号は、透明パネル５の上端面５ｃから出射される。
透明パネル５の反射面５ｆには金属膜が形成されているので、図１に示したように、液晶表示装置１の正面から見ると、反射面５ｆが一条の筋として見える。この反射面５ｆは、デザイン性の観点から透明パネル５の全長にわたって形成されている。
【００１３】
図３は、図１のＡ−Ａ線方向の断面図である。
図３に示すように、受光部１０は透明パネル５の上端面５ｃの上方に配置されている。受光部１０は、基板と受光素子等から構成されている。
受光部１０は、枠体３によって覆われ、液晶表示装置１の外部からは見えないように配置されている。
受光部１０は、光信号１００ｓを受光すると、これを電気信号に変化する。液晶表示装置１は、この信号に基づいて操作される。
図３において、ワイヤレスリモートコントローラ１００（以下、リモコン１００）は、液晶表示装置１を遠隔操作するための、赤外線信号等の光信号１００ｓをユーザの操作に応じて出力する。
【００１４】
液晶表示装置１の正面側からリモコン１００の光信号１００ｓが透明パネル５に入射すると、透明パネル５内を伝わった光信号１００ｓは、反射面５ｆで反射され、上端面５ｃを通じて出射され、受光部１０へ伝わる。
本実施形態では、反射面５ｆの全長は、受光部１０と比べて十分に長いため、光信号１００ｓが入射可能な範囲が非常に広い。このため、受光窓を設ける場合と比べて、受光感度が向上する。
本実施形態では、液晶表示装置１の外観を装うための外装部材の一部に透光性を有する透明パネル５を用い、この透明パネル５を受光窓の代わりに利用することにより、光信号１００ｓを入射できる範囲を拡大することができる。また、透明パネル５は、基本的には、外観のデザインのために用いられているため、外観のデザイン性を保つことができる。  
【００１５】
上述した実施形態では、透明パネル５に形成した反射面５ｆを直線状としたが、デザイン性の観点から、たとえば、図４に示すように、反射面５ｆを湾曲させてもよい。すなわち、反射面５ｆの一部のみが受光のために使用されるので、他の部分の形状や配置は任意に決めることができる。
【００１６】
図５は、透明パネルの他の例を示す図である。
図５に示す透明パネル５Ａは、前面５ａおよび上端面５ｃに集光レンズ５Ｌ１および５Ｌ２が一体に形成されている。
集光レンズ５Ｌ１および５Ｌ２を設けて集光することにより、リモコン１００から入射する光信号１００ｓの受光量を増加させることができる。この結果、受光感度を高めることができる。
なお、集光レンズ５Ｌ１および５Ｌ２の一方にみを形成してもよいし、レンズの形状は凸レンズに限られず適宜変更可能である。
【００１７】
図６は、透明パネルのさらに他の例を示す図である。
図６に示す透明パネル５Ｂは、延長された導光部分５Ｂｅ１，５Ｂｅ２と複数の反射面５Ｂｆ１〜５Ｂｆ４を備えている。
このように、透明パネルの構造を適宜変更することにより、受光部１０の配置を任意に変更することが可能となる。
【００１８】
本発明は、上述した実施形態に限定されない。
たとえば、リモコン１００の光信号の伝達中の光漏れによるロスが大きい場合は、透明パネル５の前面５ａに光漏れ防止の膜を使用するとよい。
また、上述した実施形態では、反射面５ｆに金属膜を形成する場合について説明したが、反射面５ｆを平滑に加工するのみで反射面とすることも可能である。
また、透明パネル５の反射膜５ｆに金属等の色彩的に特徴のあるものを利用すれば、デザイン的な差別化も可能である。
反射膜５ｆとして、リモコン１００の光により色が変化する物を利用すれば、デザイン性の向上、リモコン１００の光信号の可視化等が可能となる。
また、透明パネル５内に、リモコンの光により色が変化する粒子を混ぜれば、受光時にさらなる変化が期待できる。
さらに、透明パネル５の前面５ａに反射面を形成し、透明パネル５内を通過せずに光信号を受光部１０へ導く構成とすることも可能である。
また、上述した実施形態では、本発明を液晶表示装置に適用した場合について説明したが、ＣＲＴ(cathode ray tube)やプラズマ表示装置等の他の表示装置にも適用できる。また、本発明は、表示装置以外にも、オーディオ製品等の家電製品を含む他の電子機器に適用可能である。すなわち、機器の外観を装うための外装部材に透光性部材を使用するものであれば適用可能である。
【図面の簡単な説明】
【００１９】
【図１】本発明の一実施形態に係る液晶表示装置の正面図である。
【図２】（ａ）は透明パネルの構造の一例を示す平面図であり、（ｂ）は透明パネルの構造の一例を示す断面図である。
【図３】図１のＡ−Ａ線方向の断面図である。
【図４】反射面の他の例を示す斜視図である。
【図５】透明パネルの他の構造例を示す図である。
【図６】透明パネルのさらに他の構造例を示す図である。
【符号の説明】
【００２０】
１…液晶表示装置、２…液晶パネル、３…枠体、５…透明パネル、１０…受光部。
【図１】
2005073132.tif 000003
【図２】
2005073132.tif 000004
【図３】
2005073132.tif 000005
【図４】
2005073132.tif 000006
【図５】
2005073132.tif 000007
【図６】
2005073132.tif 000008